(57)【特許請求の範囲】
【請求項１】
液保持性の吸収層及び該吸収層の非肌当接面側に配置された液不透過性の防漏層を少なくとも有する本体と、該本体の中央部の左右両側縁から幅方向外方に延設された１対のウイングを備えた吸収性物品において、
上記吸収性物品は、生理用ナプキン又は失禁パッドであり、
１対の上記ウイングは、上記吸収性物品の装着時に少なくともそれぞれの一部が互いに重合可能に形成されており、
一方の上記ウイングの非肌当接面側に、メカニカルホックのオス部材が配設されており、
他方の上記ウイングの肌当接面には、コア／シェル型の複合フィラメントを用いてなる不織布が積層されて部分的に固着されており、上記複合フィラメントは、太さが０．１〜３デニールであり、且つ上記コア／シェルを構成する樹脂の組み合わせが、ポリエチレンテレフタレート／ポリエチレン、ポリプロピレン／ポリエチレン、及び、ポリプロピレン／ポリプロピレンから選ばれる１種又は複数であり、
上記オス部材と上記不織布とは２５０〜１０００ｇ／ｃｍ2 の係合力で係合可能であり、
一対の上記ウイングの重合時に、上記オス部材が上記不織布に係合・止着可能になされていることを特徴とする吸収性物品。
【発明の詳細な説明】
【０００１】
【発明の属する技術分野】
本発明は、ウイングを備えた吸収性物品に関し、更に詳しくは、装着中にずれやヨレがなく、且つスムーズに装着できる、生理用ナプキン又は失禁パッドである吸収性物品に関する。
【０００２】
【従来の技術および発明が解決しようとする課題】
一般に、生理用ナプキン、失禁パッド等の、本体の中央部の左右両側縁から幅方向外方に延設された１対のウイングを備えた吸収性物品はよく知られている。この吸収性物品では、各ウイングを本体との境界部から折り畳み、本体と各ウイングとの間に衣類を挟み込んで装着する。このような吸収性物品では、従来より、各ウイングの非肌当接面に粘着剤を塗布して粘着部を形成し、各ウイングの粘着部それぞれを衣類に止着させることにより吸収性物品のずれやヨレを防止することが行われている。
【０００３】
しかし、ウイングに粘着部を形成する技術では、ウイングの粘着部と衣類との粘着が十分でなく、装着者の動作によりウイングがずれたり剥がれたりして、本体にずれやヨレを生じる場合がある。
また、粘着部は、一旦衣服に粘着させると剥離しても粘着力が弱くなるため、着け直しが困難な場合がある。
更に、装着動作中にウイングの粘着部が本体や身体に粘着してしまい、剥離する手間等が生じてスムーズな装着ができない場合がある。特にウイングの粘着部が本体等の他の粘着部と粘着した場合には、なかなか剥離できず、特に装着が困難となる。
【０００４】
尚、これらの欠点を解消するために、近年、粘着部に代えてメカニカルホックのオス部材を配設し、メカニカルホックのオス部材と衣類とを係合・止着させる技術が考えられている。しかし、この技術でも、オス部材と衣類とは、衣類を損傷しない程度の係合力で係合させる必要から、ウイングと衣類とを係合させた場合の係合力に限界があり、装着者の動作が激しい場合等には、やはりずれやヨレを生じる場合がある。
また、特開平８−８９５３０号公報には、止着手段として吸収性物品の両側からメカニカルホックを延設し、メカニカルホックどうしを係合・止着させる技術が開示されている。しかし、この技術では、装着がスムーズにできない場合がある。
【０００５】
従って、本発明の目的は、装着中にずれやヨレがなく、且つスムーズに装着できる、生理用ナプキン又は失禁パッドである吸収性物品を提供することにある。
【０００６】
【課題を解決するための手段】
本発明は、液保持性の吸収層及び該吸収層の非肌当接面側に配置された液不透過性の防漏層を少なくとも有する本体と、該本体の中央部の左右両側縁から幅方向外方に延設された１対のウイングを備えた吸収性物品において、上記吸収性物品は、生理用ナプキン又は失禁パッドであり、１対の上記ウイングは、上記吸収性物品の装着時に少なくともそれぞれの一部が互いに重合可能に形成されており、一方の上記ウイングの非肌当接面側に、メカニカルホックのオス部材が配設されており、他方の上記ウイングの肌当接面には、コア／シェル型の複合フィラメントを用いてなる不織布が積層されて部分的に固着されており、上記複合フィラメントは、太さが０．１〜３デニールであり、且つ上記コア／シェルを構成する樹脂の組み合わせが、ポリエチレンテレフタレート／ポリエチレン、ポリプロピレン／ポリエチレン、及び、ポリプロピレン／ポリプロピレンから選ばれる１種又は複数であり、上記オス部材と上記不織布とは２５０〜１０００ｇ／ｃｍ2 の係合力で係合可能であり、一対の上記ウイングの重合時に、上記オス部材が上記不織布に係合・止着可能になされていることを特徴とする吸収性物品を提供することにより、上記目的を達成したものである。
【０００７】
ここで、上記「メカニカルホック」とは、メス部材を備えたメス型シートと該メス部材と係合可能なオス部材を備えたオス型シートとよりなる公知の止着具をいい、「メカニカルホックのオス部材」とは該オス部材をいう。
【０００８】
【発明の実施の形態】
以下、本発明の吸収性物品の一実施形態を図面を参照しながら具体的に説明する。
図１は本発明の吸収性物品の一実施形態を裏面シート側から見た斜視図であり、図２は図１の吸収性物品の要部断面図であって、（ａ）は図１の吸収性物品の一方のウイングを示す図、（ｂ）は図１の吸収性物品の他方のウイングを示す図、図３は図１の吸収性物品を衣類に装着した状態を示す正面図である。
【０００９】
本実施形態の吸収性物品（生理用ナプキン）１は、図１又は図２に示す様に、少なくとも液保持性の吸収層としての吸収体１１及び該吸収体１１の非肌当接面側に配置された液不透過性の防漏層としての裏面シート１２を有する本体１０と、該本体１０の中央部の左右両側縁から幅方向外方に延設された１対のウイング２０，２０とを備えている。
【００１０】
更に詳述すると、本実施形態の吸収性物品１は、肌当接面側に液透過性の表面シート１３を備えており、吸収体１１は、表面シート１３および裏面シート１２間に介在されている。そして、上記表面シート１３と裏面シート１２とは周縁部において接着されており、表面シート１３および裏面シート１２が本体１０の中央部の左右両側縁から幅方向外方に延出されて上記ウイング２０，２０が形成されている。また、上記本体１０の裏面シート１２には、本体１０の長手方向に２本の粘着部１２ａ，１２ａが形成され、この粘着部１２ａ，１２ａは剥離紙（図示せず）により保護されている。
これらの構成および各部材の形成材料等は、従来技術と同様である。
【００１１】
而して、本実施形態の吸収性物品１では、１対の上記ウイング２０，２０は、この吸収性物品１の装着時に少なくともそれぞれの一部が互いに重合可能に形成されており、一方の上記ウイング（以下一方のウイング２０ａ）の非肌当接面（装着時に衣類と接する側の面）側に、メカニカルホックのオス部材２１が配設され、他方の上記ウイング（以下他方のウイング２０ｂ）の肌当接面側（非肌当接面と逆側の面）は、上記ウイング２０，２０重合時に上記オス部材２１が係合・止着可能になされている。
【００１２】
本実施形態について詳述すると、上記オス部材２１は、一方のウイング２０ａの非肌当接面にメカニカルホックのオス型シートを接着剤を介して、又は熱融着により固着することにより形成されている。また、他方のウイング２０ｂの肌当接面は、その表面全面に不織布２２が積層・固着されており、オス部材２１が係合・止着可能になされている。
【００１３】
上記オス型シートは、そのオス部材２１が鉤形のもの、きのこ形のもの、錨形のもの等、通常公知のものを特に制限なく用いることができるが、一方のウイング２０ａの非肌当接面の面積のうち２０〜８０％を占めているのが好ましい。
また、オス型シートは、オス部材２１の形成密度が、２５〜２５０個／ｃｍ2 であるのが好ましい。
【００１４】
上記不織布２２としては、コア／シェル構造を有する複合フィラメントを用いてなる不織布を用いる。該不織布としては、湿式法、乾式法、スパーンレース法又はスパンボンド法等により形成されてなる不織布などが用いられる。また、多層フィラメントを成形した後、該多層フィラメントを外力によって分割した分割フィラメントからなる不織布を用いることもできる。更に、メルトブローン成形法により直接成形される不織布を用いることもできる。
【００１５】
上述した不織布の中でも、高弾性樹脂をコアにし、低弾性及び／又は低融点樹脂をシェルに用いたコア／シェル型の複合フィラメントを用いてなる不織布が裏面シートへ熱融着だけで固着でき、生産性、安全性及びコストから好ましい。この際用いられる上記複合フィラメントとしては、コア／シェルが、ポリエチレンテレフタレート（ＰＥＴ）／ポリエチレン（ＰＥ）、ポリプロピレン（ＰＰ）／ポリエチレン（ＰＥ）、ポリプロピレン（ＰＰ）／ポリプロピレン（ＰＰ）である、ポリオレフィン系フィラメントが用いられる。
【００１６】
また、上記不織布に用いられる上記フィラメントは、得られる不織布の柔軟性及び風合いから、太さが３デニール以下であり、下限は０．１デニールまでである。これ未満であると製造が困難である。また、上記不織布の坪量は、５〜２００ｇ／ｍ2 が好ましく、１０〜５０ｇ／ｍ2 が特に好ましく、また、見かけ厚さ（測定サンプルを定盤と１０ｃｍ×１０ｃｍのプレートとの間に置き、該プレートに０．５ｇｆ／ｃｍ2 かけた時の厚さである。尚、測定は、キーエンス製  商品名「ＰＡ−１８３０」を用いて行った。）は、１５〜７００μｍが好ましく、特に好ましくは３０〜４００μｍである。
【００１７】
また、上記不織布２２は、裏面シート１２に部分的に接着・固着されて積層されている。全面が固着されていると、透湿性が低下するか又は全く無くなると共に、曲げ剛性が高くなり、装着感が極度に悪くなる場合があるからである。
また、上記不織布２２は、裏面シート１２に、接着剤による接着やホットメルト接着等の通常の接着方法により、接着することができるが、生産性、安全性及びコスト、並びにシートの柔軟性低下を防止して装着感を良好にする観点から熱融着により接着・固定されているのが好ましい。
熱融着の方法は特に制限されないが、一般に用いられている熱ロール法、高周波法、超音波法等が用いられるが、中でも生産性から熱ロール法が好ましい。
【００１８】
上記一方のウイング２０ａに配設されるメカニカルホックのオス部材２１と他方のウイング２０ｂに積層される不織布２２とは、２５０〜１０００ｇ／ｃｍ2 の係合力で係合可能となっている。
上記係合力は、上記不織布２２をガラス板上に貼付し、この不織布２２に上記オス部材２１を１１５ｍｍ×７５ｍｍの面積で係合させ、更にその上に７５０ｇの重垂を１分間載置しておいた後この重垂をとり除き、代わりに２２５ｇの重垂を載置した状態で、上記オス部材２１に引張荷重を垂下させたひもを連設して上記オス部材２１を水平方向に引っ張り、引っ張り始めてから１分以内に不織布２２と上記オス部材２１とがずれたときの引張荷重の質量を、係合面積１ｃｍ2 当たりに換算したものである。
【００１９】
上述のような本実施形態の吸収性物品１は、図３に示すように、一方のウイング２０ａのメカニカルホックのオス部材２１を、他方のウイング２０ｂに積層される不織布２２に止着し、衣類Ｕのクロッチ部Ｕ’を本体１０と両ウイング２０ａ，２０ｂとで囲んだ状態で装着する。
【００２０】
この様に、本実施形態の吸収性物品１によれば、吸収性物品１のウイング２０，２０と本体１０とが衣類Ｕのクロッチ部Ｕ’を取り囲み、広い範囲において吸収性物品１のずれが防止されるので、ずれやヨレが発生し難い。
本実施形態の吸収性物品１によれば、ウイング２０，２０どうし（一方のウイング２０ａ及び他方のウイング２０ｂ）が止着されるので、衣類の動きの影響を受けることがなく、ずれやヨレが発生し難い。
本実施形態の吸収性物品１によれば、ウイング２０，２０（一方のウイング２０ａ及び他方のウイング２０ｂ）はメカニカルホックのオス部材２１と不織布２２により繰り返し係合・離脱可能となっているので、容易に着け直しが可能である。
【００２１】
本実施形態の吸収性物品１によれば、係合手段であるメカニカルホックのオス部材２１と不織布２２とがウイング２０，２０に設けられているので、ウイング２０，２０を本体１０との境界部から折曲させることにより容易にオス部材２１と不織布２２とを装着することができる。
本実施形態の吸収性物品１によれば、ウイング２０，２０（一方のウイング２０ａ及び他方のウイング２０ｂ）には粘着部が形成されていないので、ウイング２０，２０（一方のウイング２０ａ及び他方のウイング２０ｂ）が誤って本体１０や身体に粘着することがなく、スムーズな装着が可能である。また、ウイング２０，２０が保護用の剥離紙を必要としないので、包装形態が簡略である。
本実施形態の吸収性物品１によれば、ウイング２０，２０どうし（一方のウイング２０ａと他方のウイング２０ｂ）を係合させるので、衣類に損傷等の悪影響を与えることなく、強力にオス部材２１と不織布２２とを係合させ、吸収性物品１のずれやヨレを確実に防止することが可能である。
【００２２】
本実施形態の吸収性物品１によれば、不織布２２が他方のウイング２０ｂ全体に形成されているので、様々な幅のクロッチ部に合わせてウイング２０，２０（一方のウイング２０ａ及び他方のウイング２０ｂ）を係合させて容易に装着でき、吸収性物品１のずれやヨレを確実に防止することが可能である。
本実施形態の吸収性物品１によれば、他方のウイング２０ｂの肌当接面は柔軟な不織布２２を積層することによりオス部材２１と係合可能になされているので、装着感の悪化が極力少なく抑えられる。
本実施形態の吸収性物品１によれば、他方のウイング２０ｂの肌当接面側を不織布で形成することにより該肌当接面側をオス部材２１と係合・止着可能になしてあるので、簡略な材料で低廉に製造することができる。
【００２３】
本発明は上述した実施形態に限定されるものではなく、本発明の趣旨を逸脱しない限り適宜変更可能である。
例えば、ウイング２０，２０は、表面シート１３および裏面シート１２を延出させて形成したものに限らず、裏面シート１２のみを延出させて形成したものや、更に別の部材を本体に係合させたものとすることもできる。
オス部材２１の基材シートは裏面シート１２と一体に形成されたものとすることができる。
不織布２２は、一方のウイング２０ａのみでなく、他方のウイング２０ｂ及び本体１０も含めた非肌当接面全体等に配設してもよい。この場合、裏面シート１２と不織布２２とを予め一体に成形したものを用いることができる。
【００２４】
吸収層は、厚みのある吸収体１１の他、薄形の吸収シートにより形成することもできる。
吸収体１１と裏面シート１２とを一体に形成して吸収層と防漏層とすることもできる。
粘着部１２ａ，１２ａは形成されていなくてもよいが、本発明は、本体１０の裏面シート１２に粘着部が形成されているものにおいて特に有用である。
吸収性物品１は、生理用ナプキンの他、失禁者用パッドとすることもできる。
また、各部材の具体的な形状、寸法等についても、適宜変更可能であることは言うまでもない。
【００２５】
【発明の効果】
以上説明したように、本発明の吸収性物品によれば、吸収性物品のウイングと本体とが衣類を取り囲み、広い範囲において吸収性物品のずれが防止されるので、ずれやヨレが発生し難い。また、ウイングどうしが係合・止着されるので、容易に装着でき、装着中に衣類の動きの影響を受け難く、ずれやヨレが発生し難い。更に、衣類を損傷する等の悪影響を与えることなく、強力にウイングどうしを係合させ、吸収性物品のずれやヨレを確実に防止することが可能である。
また、ウイングには粘着部が形成されておらず、メカニカルホックのオス部材により係合されるので、ウイングが本体や身体に粘着することがなくスムーズに装着でき、また、容易に着け直しが可能である。また、ウイング用の剥離紙が必要なく、簡略な包装形態による包装が可能である。
【００２６】
更に、他方のウイングの肌当接面当接面は不織布によりメカニカルホックのオス部材と係合可能になされているので、装着感の悪化が極力少なく抑えられ、且つ簡略な材料を用いて安価な製造が可能である。
【図面の簡単な説明】
【図１】本発明の吸収性物品の一実施形態を裏面シート側から見た斜視図である。
【図２】図１の吸収性物品の要部断面図であって、（ａ）は図１の吸収性物品の一方のウイングを示す図、（ｂ）は図１の吸収性物品の他方のウイングを示す図である。
【図３】図３は図１の吸収性物品を衣類に装着した状態を示す正面図である。
【符号の説明】
１    吸収性物品
１０    本体
１１    吸収体
１２    裏面シート
１２ａ  粘着部
１３    表面シート
２０    ウイング
２０ａ  一方のウイング
２０ｂ  他方のウイング
２１    オス部材
２２    不織布
Ｕ    衣類
Ｕ’  クロッチ部
【図１】
0003778612.tif 000002
【図２】
0003778612.tif 000003
【図３】
0003778612.tif 000004